(57)【要約】      （修正有）【課題】配管の屈曲部に対するカバーによる前記屈曲部の化粧をより効果的なものとする。【解決手段】断熱材Ｉによって被覆された配管Ｐの屈曲部Ｐａに取り付けられて屈曲部Ｐａを覆う合成樹脂製のカバーＣである。屈曲部Ｐａの屈曲内側Ｐｄに位置される雄側延出部４と雌側延出部５とを留め合わせることでエルボ状になるように構成されている。雌側延出部５に、雄側延出部４を挿通可能とし且つ任意の挿通位置で雄側延出部４に多段状に形成された係合爪のいずれか一つに係合される係合穴１６と、雌側延出部５の裏面側に向けて凹むと共に雌側延出部５の端末から係合穴１６に至る雄側延出部４のガイド溝１７と、雌側延出部５の表面に止着されてガイド溝１７の少なくとも係合穴１６側を塞ぐ目隠し板１８とを備えさせてなる。【選択図】図１
2020067089.tif 000002
【特許請求の範囲】
【請求項１】
断熱材によって被覆された配管の屈曲部に取り付けられて前記屈曲部を覆う合成樹脂製のカバーであって、
前記屈曲部の屈曲内側に位置される雄側延出部と雌側延出部とを留め合わせることでエルボ状になるように構成されていると共に、
前記雌側延出部に、
前記雄側延出部を挿通可能とし且つ任意の挿通位置で前記雄側延出部に多段状に形成された係合爪のいずれか一つに係合される係合穴と、
前記雌側延出部の裏面側に向けて凹むと共に前記雌側延出部の端末から前記係合穴に至る前記雄側延出部のガイド溝と、
前記雌側延出部の表面に止着されて前記ガイド溝の少なくとも前記係合穴側を塞ぐ目隠し板とを備えさせてなる、配管用カバー。
【請求項２】
前記ガイド溝における前記雌側延出部の前記端末側に、この端末から離れるに従って前記ガイド溝の溝幅を漸減させる案内壁面を形成させてなる、請求項１に記載の配管用カバー。
【請求項３】
前記目隠し板に指掛け用突起を形成させてなる、請求項１又は請求項２に記載の配管用カバー。
【発明の詳細な説明】
【技術分野】
【０００１】
この発明は、断熱材によって被覆された配管における前記断熱材の外面を覆うように前記配管に取り付けられるカバーのうち、前記配管の屈曲部に取り付けられて前記屈曲部を覆う配管用カバーに関する。
【背景技術】
【０００２】
断熱材によって被覆された配管、典型的には、空調や温調用の配管における屈曲部に取り付けられて前記屈曲部を覆うカバーとして、特許文献１及び２に示されるものがある。
【０００３】
特許文献１及び２のものは、エルボーカバーの屈曲内側において左右に分離されている。この分離箇所の一方には係合孔が形成され、他方には、この係合孔に挿し込まれて係合される舌片が形成されており、配管の屈曲部にエルボーカバーをかぶせた状態から係合孔に舌片を挿入・係合させることで、配管の屈曲部を外装するようにしている。
【先行技術文献】
【特許文献】
【０００４】
【特許文献１】実開昭６１−１７３８９４号公報
【特許文献２】実開昭６３−１１５９９０号公報
【発明の概要】
【発明が解決しようとする課題】
【０００５】
配管の屈曲部の外径は、配管を被覆する断熱材の厚さにより変化するところ、特許文献１及び２のものにあっては、前記係合孔への舌片の挿入・係合位置が可変可能であることから、この変化に追随可能である。しかし、係合孔への舌片の挿入量にかかわらずエルボーカバーの屈曲内側において舌片を露出させてしまうものであった。
【０００６】
この発明が解決しようとする主たる問題点は、この種の配管の屈曲部に対するカバーによる前記屈曲部の化粧がより効果的なものとなるようにする点にある。
【課題を解決するための手段】
【０００７】
前記課題を達成するために、この発明にあっては、配管用カバーを、断熱材によって被覆された配管の屈曲部に取り付けられて前記屈曲部を覆う合成樹脂製のカバーであって、
前記屈曲部の屈曲内側に位置される雄側延出部と雌側延出部とを留め合わせることでエルボ状になるように構成されていると共に、
前記雌側延出部に、
前記雄側延出部を挿通可能とし且つ任意の挿通位置で前記雄側延出部に多段状に形成された係合爪のいずれか一つに係合される係合穴と、
前記雌側延出部の裏面側に向けて凹むと共に前記雌側延出部の端末から前記係合穴に至る前記雄側延出部のガイド溝と、
前記雌側延出部の表面に止着されて前記ガイド溝の少なくとも前記係合穴側を塞ぐ目隠し板とを備えさせてなる、ものとした。
【０００８】
配管の屈曲部の外径は、配管を被覆する断熱材の厚さにより変化する。かかる配管用カバーによれば、前記係合穴への雄側延出部の挿し込み量、すなわち、複数の係合爪のうちの前記係合穴に係合される係合爪を変えることで、エルボ状をなす配管用カバーの径を前記屈曲部の外径に一定の範囲で適合させることができる。前記屈曲部の外径が大きくなればなるほど、前記係合穴への雄側延出部の挿し込み量は少なくなり、雌側延出部の外側において雄側延出部における係合穴に入り込まない余長部分の長さが大きくなるが、前記目隠し板によってこの余長部分を隠すことができる。これにより、前記屈曲部において、前記断熱材を配管用カバーによって効果的に化粧できる。
【０００９】
前記ガイド溝における前記雌側延出部の前記端末側に、この端末から離れるに従って前記ガイド溝の溝幅を漸減させる案内壁面を形成させておくことが、この発明の態様の一つとされる。
【００１０】
また、前記目隠し板に指掛け用突起を形成させておくことが、この発明の態様の一つとされる。
【発明の効果】
【００１１】
この発明によれば、目隠し板によって雌側延出部の外側において雄側延出部における係合穴に入り込まない余長部分を可及的に隠すことができることから、この種の配管の屈曲部に対するカバーによる前記屈曲部の化粧をより効果的なものとすることができる。
【図面の簡単な説明】
【００１２】
【図１】図１は、この発明の一実施の形態にかかる配管用カバーの斜視構成図であり、配管の屈曲部に取り付ける直前の状態を示している。
【図２】図２は、前記配管用カバーを配管の屈曲部に取り付けた状態の斜視図である。
【図３】図３は、図２の状態の要部断面図である。
【図４】図４は、前記配管用カバーの側面構成図である。
【図５】図５は、前記配管用カバーの断面構成図であり、雄側延出部を雌側延出部に係合させた様子を示している。
【図６】図６は、前記配管用カバーの要部斜視構成図であり、雄側延出部を雌側延出部に係合させた状態を示している。
【図７】図７は、前記配管用カバーの要部断面構成図であり、雄側延出部を雌側延出部に係合させた状態を示している。
【図８】図８は、前記配管用カバーの雌側延出部を構成する目隠し板を分離させた状態で前記配管用カバーの内周部分を示した斜視構成図である。
【図９】図９は、前記配管用カバーの要部分解斜視構成図である。
【図１０】図１０は、前記配管用カバーの要部分解断面構成図である。
【発明を実施するための形態】
【００１３】
以下、図１〜図１０に基づいて、この発明の典型的な実施の形態について、説明する。この実施の形態にかかる配管用カバーＣは、断熱材Ｉによって被覆された配管Ｐにおける前記断熱材Ｉの外面を覆うように前記配管Ｐに取り付けられるカバーＣ、Ｃ’のうち、前記配管Ｐの屈曲部Ｐａに取り付けられて前記屈曲部Ｐａを覆うものである。
【００１４】
すなわち、この実施の形態にかかる配管用カバーＣは、図１及び図２に示されるように、配管Ｐのストレート部Ｐｂを覆う配管用カバーＣ’と一緒に、断熱材Ｉによって被覆された配管Ｐの外面を覆うものである。
【００１５】
かかる配管用カバーＣは、典型的には、難燃性の合成樹脂製のシートを加工することで構成される。
【００１６】
また、かかる配管用カバーＣは、前記配管Ｐへの取付状態において、エルボ状をなすように構成されている。すなわち、かかる配管用カバーＣは、前記取付状態において、側面視Ｌ字状の管状を呈し、仮想の円の円弧の一部に沿うように湾曲した外周部分１と、外周部分１の内側に位置される内周部分２と、両者間に位置して前記配管Ｐの屈曲部Ｐａの側部を覆う左右の中間部分３とを有する。
【００１７】
また、かかる配管用カバーＣは、前記取付状態において前記屈曲部Ｐａの屈曲内側Ｐｄに位置される内周部分２において、左右に分離されている。そして、分離された内周部分２の一方が雄側延出部４となり、分離された内周部分２の他方が雌側延出部５となっている。そして、かかる雄側延出部４と雌側延出部５とを留め合わせることでエルボ状になるように構成されている。
【００１８】
具体的には、配管用カバーＣの雄側延出部４と雌側延出部５との間を拡げるように配管用カバーＣを弾性変形させて、前記配管Ｐの屈曲部Ｐａの屈曲外側Ｐｃに前記外周部分１が接し、屈曲内側Ｐｄに前記内周部分２が位置されるように、前記屈曲部Ｐａに配管用カバーＣをかぶせる。図示の例では、図４に示されるように、無変形状態では、雄側延出部４と雌側延出部５とは内外にオーバーラップするようになっており、前記屈曲部Ｐａに前記のように配管用カバーＣをかぶせた状態から、配管用カバーＣの径を拡げる向きに配管用カバーＣを弾性変形させて、雌側延出部５の後述する係合穴１６に雄側延出部４を挿し込めるように操作し、この後、配管用カバーＣの径を狭めながらかかる係合穴１６に雄側延出部４を挿し込むことで雄側延出部４と雌側延出部５とが係合・留め合わされるようになっている。
【００１９】
雄側延出部４は、前記内周部分２の一部となる基部６と、この基部６から延び出す舌片７とから構成されている。基部６は、前記屈曲部Ｐａの側部を覆う配管用カバーＣの中間部分３に続くように形成されており、端末８に近づくに連れて図９において符号Ｌ１で示す幅を漸減させるように構成されている。舌片７は基部６の端末１４の幅よりも幅を小さくする帯状を呈し、一端を基部６の端末１４の中央に一体化させてこの端末１４に直交する向きのこの端末１４から延び出している。
【００２０】
かかる雄側延出部４の内面に、雄側延出部４の延び出し方向において多段状をなすように複数の係合爪９が形成されている。図示の例では、細長い基板１０の一面に、この基板１０の幅方向に沿ったリブ状をなす係合爪９をこの基板１０の長さ方向において隣り合う係合爪９との間に間隔を開けて複数形成させてなる係合爪構成部材１１を、雄側延出部４の裏面１２に止着させることで、雄側延出部４の裏面１２に、雄側延出部４の延び出し方向において多段状をなすように複数の係合爪９を形成させている。図示の例では、係合爪構成部材１１は、前記舌片７と実質的に等しい幅を持ち、舌片７の内側においては、前記基板１０が舌片７からはみ出さないように舌片７に沿って止着されている。また、係合爪構成部材１１は、舌片７の端末１３との間に間隔を開けた位置に基板１０の一方端末を位置させると共に、基部６の端末１４よりも前記中間部分３側に入り込んだ位置に基板１０の他方端末を位置させるように、雄側延出部４の裏面１２に止着されている。かかる止着は典型的には、係合爪構成部材１１の基板１０の他面を雄側延出部４の裏面１２に接着してなす。図示の例ではまた、前記基板１０の一方端末の前方において、舌片７の端末１３がやや内側に折り曲げられており、このように形成された折り曲げ部１５によって雌側延出部５の後述の係合穴１６に舌片７を差し込みやすくしている。
【００２１】
前記雌側延出部５は、前記内周部分２の一部となる基部５’に、後述の係合穴１６と、ガイド溝１７と、目隠し板１８とを備えさせてなる。基部５’は、前記屈曲部Ｐａの側部を覆う配管用カバーＣの中間部分３に続くように形成されており、端末２０に近づくに連れて図９において符号Ｌ２で示す幅を漸減させるように構成されている。
【００２２】
係合穴１６は、前記雄側延出部４を挿通可能とし且つ任意の挿通位置で前記雄側延出部４に多段状に形成された係合爪９のいずれか一つに係合されるようになっている。図示の例では、係合穴１６は、前記雄側延出部４の舌片７を挿通可能で、基部６は挿通不能な大きさに構成されている。
【００２３】
ガイド溝１７は、前記雌側延出部５の裏面１９側、すなわち、配管用カバーＣの内方側に向けて凹むと共に前記雌側延出部５の端末２０から前記係合穴１６に至るように形成されている。
【００２４】
目隠し板１８は、前記雌側延出部５の表面に止着されて前記ガイド溝１７の少なくとも前記係合穴１６側を塞ぐ構成となっている。
【００２５】
図示の例では、ガイド溝１７は、その溝幅を、雄側延出部４の舌片７と実質的に等しくしている。
【００２６】
係合穴１６は、雌側延出部５の端末２０よりも中間部分３側に位置している。そして、雌側延出部５の端末２０と係合穴１６との間に亘って前記ガイド溝１７が形成されている。
【００２７】
ガイド溝１７は、溝一端１７ａを前記雌側延出部５の端末２０に位置させ、溝他端１７ｂを前記係合穴１６に連通させている。
【００２８】
図示の例では、前記基部６にその端末において開放された割溝２１を形成させると共に、前記基部５’の裏面にチャンネル状に成形した合成樹脂製のシート２４を、このチャンネルの両端に位置される箇所２４ａをそれぞれ前記割溝２１を挟んだ前記基部５’の裏面に接着させることで、雌側延出部５に前記ガイド溝１７を形成させている。割溝２１の内奥端２１ａの直下において、チャンネル状に成形した合成樹脂製のシート２４の一部が折り曲げられて立ち上がり片２４ｂとされている。この立ち上がり片２４ｂの突き出し端と前記割溝２１の内奥端との間が雌側延出部５の幅方向に長いスリット状をなす係合穴１６となっている。図示の例では、立ち上がり片２４ｂは、突き出し端をその根元よりも後方に位置させるように、斜めに起立されている。
【００２９】
また、前記目隠し板１８は、前記ガイド溝１７の溝一端１７ａと溝他端１７ｂとの中間位置から溝他端１７ｂに至る箇所までを覆う大きさを備えている。目隠し板１８は、典型的には、配管用カバーＣを構成する前記合成樹脂製のシートと同一の合成樹脂製シートから構成される。
【００３０】
前記目隠し板１８は、前記ガイド溝１７の溝一端１７ａ側に位置される前辺部１８ａと、溝他端１７ｂより後方に位置される後辺部１８ｂとを有する。目隠し板１８は、この前辺部１８ａと後辺部１８ｂとの間に亘る中間位置と後辺部１８ｂとの間において基部５’の表面に接着されており、目隠し板１８の前辺部１８ａとこの接着位置との間において、目隠し板１８と基部６との間に雄側延出部４の基部６が受入可能となっている。
【００３１】
配管Ｐの屈曲部Ｐａの外径は、配管Ｐを被覆する断熱材Ｉの厚さにより変化する。この実施の形態にかかる配管用カバーＣによれば、前記係合穴１６への雄側延出部４の挿し込み量、すなわち、複数の係合爪９のうちの前記係合穴１６に係合される係合爪９を変えることで、エルボ状をなす配管用カバーＣの径を前記屈曲部Ｐａの外径に一定の範囲で適合させることができる。前記屈曲部Ｐａの外径が大きくなればなるほど、前記係合穴１６への雄側延出部４の挿し込み量は少なくなり、雌側延出部５の外側において雄側延出部４における係合穴１６に入り込まない余長部分の長さが大きくなるが、前記目隠し板１８によってこの余長部分を隠すことができる。これにより、前記屈曲部Ｐａにおいて、前記断熱材Ｉを配管用カバーＣによって効果的に化粧できる。
【００３２】
また、この実施の形態にあっては、前記ガイド溝１７における前記雌側延出部５の前記端末２０側に、この端末２０から離れるに従って前記ガイド溝１７の溝幅を漸減させる案内壁面１７ｃを形成させている。図示の例では、前記ガイド溝１７における前記雌側延出部５の前記端末２０側にある左右の溝壁にそれぞれ前記案内壁面１７ｃを形成させている。これにより、この実施の形態にあっては、前記ガイド溝１７内に雄側延出部４を挿し込み易くなっている。
【００３３】
また、この実施の形態にあっては、前記目隠し板１８に指掛け用突起１８ｃが形成されている。図示の例では、前記目隠し板１８における前辺部１８ａ側が、この前辺部１８ａからやや後方に前辺部１８ａと実質的に平行な折り曲げ線１８ｄによって頂部を形成させるように折り曲げられており、この頂部によって前記指掛け用突起１８ｃを形成させている。これにより、この実施の形態にあっては、この指掛け用突起１８ｃを利用して、前記屈曲部Ｐａに前記のように配管用カバーＣをかぶせた状態から、配管用カバーＣの径を拡げる向きに配管用カバーＣを弾性変形させて、雌側延出部５の係合穴１６に雄側延出部４を挿し込めるようにする操作が行いやすくなっている。
【００３４】
なお、当然のことながら、本発明は以上に説明した実施態様に限定されるものではなく、本発明の目的を達成し得るすべての実施態様を含むものである。
【符号の説明】
【００３５】
Ｐ  配管
Ｐａ  屈曲部
Ｐｄ  屈曲内側
Ｃ  カバー
４  雄側延出部
５  雌側延出部
９  係合爪
１６  係合穴
１７  ガイド溝
１８  目隠し板
１９  裏面
２０  端末
【図１】
2020067089.tif 000003
【図２】
2020067089.tif 000004
【図３】
2020067089.tif 000005
【図４】
2020067089.tif 000006
【図５】
2020067089.tif 000007
【図６】
2020067089.tif 000008
【図７】
2020067089.tif 000009
【図８】
2020067089.tif 000010
【図９】
2020067089.tif 000011
【図１０】
2020067089.tif 000012